(57)【要約】【課題】カラになった包装袋を丸めて、この状態を維持したまま廃棄することができる包装袋を提供すること。【解決手段】包装袋本体１とこれに接着されているラベル２とで包装袋１００を構成し、このラベルを２つの領域に区分して、一方の領域においてラベルを包装袋本体に接着し、他方の領域を包装袋本体の外縁から外方に延出させて、この延出領域に感圧接着剤層２２ｂを設ける。カラになった包装袋を丸めた後、こうして丸めた部位に感圧接着剤層２２ｂを接着して固定することにより、包装袋本体が元の形状に戻ることを防止することができる。【選択図】図１
2017109783.tif 000002
【特許請求の範囲】
【請求項１】
包装袋本体とこれに接着されているラベルとから成る包装袋であって、
前記ラベルが２つの領域に区分されており、２つの前記領域のうち一方の領域においてラベルが包装袋本体に接着されており、
他方の領域が包装袋本体の外縁から外方に延出していて、この延出部位に感圧接着剤層を有することを特徴とする包装袋。
【請求項２】
包装袋本体とこれに接着されているラベルとから成る包装袋であって、
前記ラベルが折り曲げ線によって２つの領域に区分されていると共にこの折り曲げ線で折り曲げられており、
２つの前記領域のうち一方の領域においてラベルが包装袋本体に接着されており、前記他方の領域がこの上に重畳されており、
前記折り曲げ線を開いて伸ばしたとき、前記ラベルが包装袋本体の外縁から外方に延出する位置にラベルが接着されていて、この延出部位に感圧接着剤層を有することを特徴とする包装袋。
【請求項３】
前記他方の領域の感圧接着剤層に剥離紙が剥離容易に接着されていることを特徴とする請求項１又は２に記載の包装袋。
【請求項４】
包装袋本体とこれに接着されているラベルとから成る包装袋であって、
前記ラベルが折り曲げ予定線によって第１領域と第２領域とに区分され、かつ、折り曲げ線によって第２領域と第３領域とに区分されていると共にこの折り曲げ線で折り曲げられており、
前記第１領域においてラベルが包装袋本体に接着されており、
前記第３領域が再接着性接着剤層を有しており、この第３領域が第１領域及び第２領域の両者に重畳されていると共に、前記再接着性接着剤層によって第３領域が第１領域に接着されており、
前記再接着性接着剤層を剥離し、前記折り曲げ線を開いて第２領域と第３領域とを伸ばすと共に前記折り曲げ予定線で折り曲げたとき、第３領域の前記再接着性接着剤層が包装袋本体の外縁から外方に延出する位置にラベルが接着されていることを特徴とする包装袋。
【請求項５】
包装体本体がスタンディングパウチであることを特徴とする請求項１〜４のいずれかに記載の包装袋。
【発明の詳細な説明】
【技術分野】
【０００１】
本発明は包装袋に関する。例えば、腰の強いフィルム基材を使用したスタンディングパウチである。このように腰の強いフィルム基材を使用した包装袋であっても、本発明によれば、丸めた状態を維持したまま廃棄することができる。
【背景技術】
【０００２】
スタンディングパウチは、表裏のフィルムの間に底部用フィルムを介在させて構成した包装袋である。このスタンディングパウチは、底部用フィルムを開くことによって大容量の内容物を収容することができ、また、開いた底部用フィルムを利用して立脚させることができる。このため、シャンプーやリンス等のトイレタリー製品を始めとして、各種製品の包装袋として多用されている（特許文献１参照）。
【０００３】
ところで、前述のように底部用フィルムを利用して立脚させるため、このスタンディングパウチは、表裏の前記フィルムとして腰の強いフィルムを使用している。そして、このため、内容物を使用した後カラになった包装袋を丸めて廃棄しようとしても、その包装袋は元の形状に戻ってしまい、例えば、ゴミ箱の中で大きく広がってしまうという問題を抱えていた。
【先行技術文献】
【特許文献】
【０００４】
【特許文献１】特開２０１５−１４０１９８号公報
【発明の概要】
【発明が解決しようとする課題】
【０００５】
そこで、本発明は、カラになった包装袋を丸めて、この状態を維持したまま廃棄することができる包装袋を提供することを目的とする。
【課題を解決するための手段】
【０００６】
すなわち、請求項１に記載の発明は、包装袋本体とこれに接着されているラベルとから成る包装袋であって、
前記ラベルが２つの領域に区分されており、２つの前記領域のうち一方の領域においてラベルが包装袋本体に接着されており、
他方の領域が包装袋本体の外縁から外方に延出していて、この延出部位に感圧接着剤層を有することを特徴とする包装袋である。
【０００７】
次に、請求項２に記載の発明は、包装袋本体とこれに接着されているラベルとから成る包装袋であって、
前記ラベルが折り曲げ線によって２つの領域に区分されていると共にこの折り曲げ線で折り曲げられており、
２つの前記領域のうち一方の領域においてラベルが包装袋本体に接着されており、前記他方の領域がこの上に重畳されており、
前記折り曲げ線を開いて伸ばしたとき、前記ラベルが包装袋本体の外縁から外方に延出する位置にラベルが接着されていて、この延出部位に感圧接着剤層を有することを特徴とする包装袋である。
【０００８】
また、請求項３に記載の発明は、前記他方の領域の感圧接着剤層に剥離紙が剥離容易に接着されていることを特徴とする請求項１又は２に記載の包装袋である。
【０００９】
また、請求項４に記載の発明は、包装袋本体とこれに接着されているラベルとから成る包装袋であって、
前記ラベルが折り曲げ予定線によって第１領域と第２領域とに区分され、かつ、折り曲げ線によって第２領域と第３領域とに区分されていると共にこの折り曲げ線で折り曲げられており、
前記第１領域においてラベルが包装袋本体に接着されており、
前記第３領域が再接着性接着剤層を有しており、この第３領域が第１領域及び第２領域の両者に重畳されていると共に、前記再接着性接着剤層によって第３領域が第１領域に接着されており、
前記再接着性接着剤層を剥離し、前記折り曲げ線を開いて第２領域と第３領域とを伸ばすと共に前記折り曲げ予定線で折り曲げたとき、第３領域の前記再接着性接着剤層が包装袋本体の外縁から外方に延出する位置にラベルが接着されていることを特徴とする包装袋である。
【００１０】
また、請求項５に記載の発明は、包装体本体がスタンディングパウチであることを特徴とする請求項１〜４のいずれかに記載の包装袋である。
【発明の効果】
【００１１】
請求項１に記載の発明によれば、包装袋本体の外縁から外方に延出している前記他方の領域に感圧接着剤層を有しているから、カラになった包装袋を丸めた後、こうして丸めた部位に前記他方の領域を接着して固定することにより、包装袋本体が元の形状に戻ることを防止することができる。このため、腰の強いフィルムを使用した包装袋であっても、丸めた状態を維持したまま廃棄することが可能となる。
【００１２】
また、請求項２に記載の発明によれば、折り曲げ線を開いて伸ばせば、他方の領域が包装袋本体の外縁から外方に延出し、しかも、こうして包装袋本体から外方に延出した領域は感圧接着剤層を有しているから、請求項１記載の発明と同様に、丸めた包装袋を固定して廃棄することが可能となる。
【００１３】
また、請求項３に記載の発明によれば、折り曲げ線を開くと共に折り曲げ予定線で折り曲げれば、第３領域が包装袋本体の外縁から外方に延出し、しかも、こうして包装袋本体から外方に延出した領域は再接着性接着剤層を有しているから、請求項１記載の発明と同様に、丸めた包装袋を固定して廃棄することが可能となる。
【図面の簡単な説明】
【００１４】
【図１】図１は本発明の第１の実施形態の包装袋に係り、図１（ａ）は包装袋１００の正面図、図１（ｂ）は図１（ａ）のＸ−Ｘ線における要部拡大断面図である。
【図２】図１は本発明の第１の実施形態の包装袋の使用方法を示す斜視図である。
【図３】図３は本発明の第２の実施形態の包装袋に係り、図３（ａ）は包装袋２００の正面図、図３（ｂ）は要部拡大断面図である。
【図４】図４は本発明の第２の実施形態の包装袋に係り、図４（ａ）は使用方法を示す正面図、図４（ｂ）はその要部拡大断面図である。
【図５】図５は本発明の第２の実施形態の変形例に係る包装袋の要部拡大断面図である。
【図６】図６は本発明の第３の実施形態の包装袋に係り、図６（ａ）は包装袋３００の正面図、図６（ｂ）は要部拡大断面図である。
【図７】図７は本発明の第３の実施形態の包装袋に係り、図７（ａ）は使用方法を示す正面図、図７（ｂ）はその要部拡大断面図である。
【発明を実施するための形態】
【００１５】
本発明は包装袋本体とラベルとを必須の構成要素とするものである。ラベルは、その一部が包装袋本体の外縁から外方に延出するように接着している必要がある。折り曲げ線によって折り曲げられたラベルは、包装袋本体の外縁から外方に延出する部分を持っていなくてもよいが、この場合でも、折り曲げ線を開いて伸ばしたとき、ラベルの一部が包装袋本体の外縁から外方に延出する位置に接着している必要がある。そして、この包装袋本体の外縁から外方に延出した部分を延出領域と呼ぶと、この延出領域には、包装袋本体に接着できる接着剤層が配置されていることが必要である。
【００１６】
そこで、折り曲げられていないラベルを使用した包装袋を第１の例とし、折り曲げられたラベルを使用した包装袋を第１の例として、順次、説明する。
【００１７】
（第１の実施形態）
この例は、折り曲げられていないラベル２を使用した包装袋１００に係るもので、図１（ａ）は包装袋１００の正面図、図１（ｂ）は図１（ａ）のＸ−Ｘ線における要部拡大断面図である。これらの図から分かるように、この包装袋１００は、包装袋本体１にラベル２を接着して構成されている。
【００１８】
この例では、包装袋本体１はスタンディングパウチである。すなわち、包装袋本体１は、表裏のフィルム１１，１２と底部用フィルム１３とで構成されている。底部用フィルム１３は、表裏のフィルム１１，１２の間に配置されており、その周囲にヒートシール線１ａを設けて全体を密封している。なお、この例では、上部角部に注出ノズル１ｂを設け、この注出ノズル１ｂもヒートシール線１ａで密封すると共に、切断予定線１ｃを設けて、この切断予定線１ｃで切断することにより注出ノズル１ｂを開口する構造としている。
【００１９】
ラベル２は、図１（ａ）及び（ｂ）に示すように、包装袋本体１の上部に接着されており、しかも、その一部が上部ヒートシール線１ａから包装袋本体１の外縁から上方に延出するように接着されている。
【００２０】
そして、このラベル２は、図１（ｂ）から分かるように、ラベル基材２１と感圧接着剤層２２とで構成されている。そして、感圧接着剤層２２はラベル基材２１の全面に形成されている。図１（ｂ）において、包装袋本体１の外縁から上方に延出していない領域を第１領域、上方に延出している領域を第２領域とするとき、符号２１ａ、２２ａは、それぞれ、第１領域のラベル基材２１、第１領域の感圧接着剤層２２を示しており、符号２１ｂ、２２ｂは、それぞれ、第２領域のラベル基材２１、第２領域の感圧接着剤層２２を示している。そして、このようにラベル２の一部（第２領域）が包装袋本体１の外縁から延出しているため、この第２領域においては、剥離紙２３が剥離容易に接着されている。
【００２１】
なお、ラベル２に内容物に関する説明等を表示すれば、このラベル２を広告表示板（ＰＯＰ）として利用することができる。また、このラベル２の使用方法に関する説明等を表示してもよい。
【００２２】
この包装袋１００は、図２に示すような方法で使用することができる。すなわち、内容物を消費してカラになった包装袋１００を、まず、その底部１ｄから丸めて巻き取る。そして、ラベル２の剥離紙２３を剥離して第２領域の感圧接着剤層２２ｂを露出し、この感圧接着剤層２２ｂを丸められた包装袋１００に接着する。こうしてラベル２を接着した包装袋１００は丸められた形状を維持し、元の形状に戻ることがない。
【００２３】
（第２の実施形態）
この例は、折り曲げ線によって折り曲げられたラベル３を使用した包装袋２００に係る
もので、ラベルが異なるほか、第１の実施例と同様である。なお、図３（ａ）は包装袋２００の正面図、図３（ｂ）は図３（ａ）のＸ−Ｘ線における要部拡大断面図である。
【００２４】
ラベル３は、ラベル基材３１と、このラベル基材３１の適宜位置に設けられた感圧接着剤層３２ａ，３２ｂ，３２ｃとで構成されている。もちろん、このほか、ラベル３に種々の表示を施してもよい。
【００２５】
また、ラベル３は折り曲げ線３１ｄで二つ折りされており、かつ、この折り曲げ線３１ｄで２つの領域に区分されている。これら２つの領域を、それぞれ、第１領域、第２領域と呼ぶとき、第１領域のラベル基材３１ａは感圧接着剤層３２ａによって包装袋本体１に接着されている。また、第２領域のラベル基材３１ｂは、第１領域のラベル基材３１ａの上に重ねられて、感圧接着剤層３２ｂによって剥離容易に接着されている。そして、第２領域のラベル基材３１ｂの表面側、すなわち、第１領域のラベル基材３１ａと反対側の面には、感圧接着剤層３２ｃが設けられており、この上に剥離容易に剥離紙３３が接着されている。なお、感圧接着剤層３２ａとしては、第１領域のラベル基材３１ａと包装袋本体１とを剥離困難に接着する強接着性の接着剤を使用することが望ましい。一方、感圧接着剤層３２ｂとしては、易剥離性の弱接着性接着剤を使用することが望ましい。なお、この例では、第２領域のラベル基材３１ｂは、感圧接着剤層３２ｂによって、第１領域のラベル基材３１ａに接着されているが、第２領域のラベル基材３１ｂを第１領域のラベル基材３１ａより長いものとし、第２領域のラベル基材３１ｂの先端を第１領域のラベル基材３１ａの先端から延出させて、この延出部分３１ｃを包装袋本体１に接着してもよい（図５参照）。
【００２６】
なお、ラベル３の接着位置は、第２領域のラベル基材３１ｂを第１領域のラベル基材３１ａから剥離し、かつ、折り曲げ線３１ｄを開いてラベル３を伸ばしたとき、ラベル基材３１の少なくとも一部が包装袋本体１の外縁から延出する位置である必要がある。そして、このようにラベル基材３１の一部が包装袋本体１の外縁から延出したとき、この延出部位に感圧接着剤層３２ｃが位置する必要がある。
【００２７】
この包装袋２００は、折り曲げ線３１ｄを開いてラベル３を伸ばす作業を要するほか、第１の実施形態のラベル１００と同様に使用することができる。すなわち、まず、第２領域のラベル基材３１ｂを第１領域のラベル基材３１ａから剥離し、かつ、折り曲げ線３１ｄを開いてラベル３を伸ばした後、ラベル３の剥離紙３３を剥離して第２領域の感圧接着剤層３２ｃを露出する（図４（ａ）及び（ｂ）参照）。一方、包装袋２００をその底部から丸めて巻き取り、感圧接着剤層３２ｃを接着する。こうしてラベル３を接着した包装袋２００は丸められた形状を維持し、元の形状に戻ることがない。
【００２８】
なお、感圧接着剤層３２ｂによって第２領域のラベル基材３１ｂを第１領域のラベル基材３１ａに接着する代わりに、この第２領域のラベル基材３１ｂを包装袋本体１に接着してもよい（図５参照）。
【００２９】
（第３の実施形態）
この例も、折り曲げ線によって折り曲げられたラベル４を使用した包装袋３００に係るもので、ラベルが異なるほか、第１の実施例と同様である。なお、図６（ａ）は包装袋３００の正面図、図６（ｂ）は図６（ａ）のＸ−Ｘ線における要部拡大断面図である。
【００３０】
（第３の実施形態）
この例も、折り曲げ線によって折り曲げられたラベル４を使用した包装袋３００に係るもので、ラベルが異なるほか、第１の実施例と同様である。なお、図６（ａ）は包装袋３００の正面図、図６（ｂ）は図６（ａ）のＸ−Ｘ線における要部拡大断面図である。
【００３１】
ラベル４は、ラベル基材４１と、このラベル基材４１の適宜位置に設けられた感圧接着剤層４２及び再接着性接着剤層４３とで構成されている。もちろん、このほか、ラベル４に種々の表示を施してもよい。
【００３２】
このラベル４は、３つの領域で構成されている。これら３つの領域を、それぞれ、第１領域、第２領域、第３領域と呼ぶとき、第１領域のラベル基材４１ａは感圧接着剤層４２によって包装袋本体１に接着されている。第２領域のラベル基材４１ｂは、折り曲げ予定線４２ｄによって第１領域から区分されており、包装袋本体１には接着されておらず、第
１領域と面一に配置されている。
【００３３】
一方、第３領域４１ｃは折り曲げ線４１ｅによって第２領域から区分されており、この折り曲げ線４１ｅで折り曲げられて、第３領域４１ｃが第１領域４１ａ及び第２領域４１ｂの両者に重畳されている。そして、第３領域４１ｃの一部に配置された再接着性接着剤層４３によって、第３領域４１ｃは第１領域４１ａに接着されている。なお、この再接着性接着剤層４３は、第１領域４１ａから剥離容易な弱接着性を有すると共に、第１領域４１ａから剥離した後にも包装体本体１に再接着できる再接着性を有している。
【００３４】
このラベル４の接着位置は、前記再接着性接着剤層４３を剥離し、前記折り曲げ線４１ｅを開いて第２領域４１ｂと第３領域４１ｃとを伸ばすと共に前記折り曲げ予定線４１ｄで折り曲げたとき（図７参照）、第３領域４１ｃの少なくとも一部が包装袋本体１の外縁から延出する位置である必要がある。そして、このようにラベル基材４１の一部が包装袋本体１の外縁から延出したとき、この延出部位に前記再接着性接着剤層４３が位置する必要がある。
【００３５】
この包装袋３００は、折り曲げ線４１ｅを開いてラベル４を伸ばし、かつ、折り曲げ予定線４１ｄで折り曲げる作業を要するほか、第１の実施形態の包装袋１００と同様に使用することができる。すなわち、図７に示すように、第３領域のラベル基材４１ｃを第１領域のラベル基材４１ａから剥離し、かつ、折り曲げ線４１ｅを開いて第２領域４１ｂと第３領域４１ｃとが面一になるように伸ばすと共に、折り曲げ予定線４１ｄで第２領域４１ｂと第３領域４１ｃの両者を外側に折り曲げることにより、包装袋本体１の外縁から第３領域の一部が延出し、この延出部位に前記再接着性接着剤層４３が露出する。次に、包装袋３００をその底部から丸めて巻き取り、再接着性接着剤層４３を接着する。こうしてラベル４を接着した包装袋３００は丸められた形状を維持し、元の形状に戻ることがない。
【００３６】
以上、包装袋本体１として、腰の強いスタンディングパウチを使用する場合を例として第１の実施形態及び第２の実施形態を説明したが、これに限らず、任意の包装袋であってよいことは明らかである。
【符号の説明】
【００３７】
１００：包装袋
１：包装袋本体    １１：表側フィルム    １２：裏側フィルム    １３：底部用フィルム    １ａ:ヒートシール層    １ｂ：注出ノズル    １ｃ：切断予定線    １ｄ：底部
２：ラベル    ２１：ラベル基材    ２１ａ：第１領域のラベル基材    ２１ｂ：第２領域のラベル基材    ２２：感圧接着剤層    ２２ａ：第１領域の感圧接着剤層    ２２ｂ：第２領域の感圧接着剤層    ２３：剥離紙
２００：包装袋
３：ラベル    ３１：ラベル基材    ３１ａ：第１領域のラベル基材    ３１ｂ：第２領域のラベル基材    ３１ｃ：第２領域の延出部位    ３１ｄ：折り曲げ線    ３２ａ：感圧接着剤層    ３２ｂ：感圧接着剤層    ３２ｃ：感圧接着剤層    ３３：剥離紙
３００：包装袋
４：ラベル    ４１：ラベル基材    ４１ａ：第１領域のラベル基材    ４１ｂ：第２領域のラベル基材    ４１ｃ：第３領域のラベル基材    ４１ｄ：折り曲げ予定線    ４１ｅ：折り曲げ線    ４２：感圧接着剤層    ４３：再接着性接着剤層
【図１】
2017109783.tif 000003
【図２】
2017109783.tif 000004
【図３】
2017109783.tif 000005
【図４】
2017109783.tif 000006
【図５】
2017109783.tif 000007
【図６】
2017109783.tif 000008
【図７】
2017109783.tif 000009